(57)【要約】  送達確認信号の送信タイミング及びリソースの少なくとも一方が柔軟に設定される場合であっても送達確認信号の送信を適切に行うために、本開示の一態様に係るユーザ端末は、下り制御情報でスケジューリングされる下り共有チャネルを受信する受信部と、前記下り共有チャネルに対する送達確認信号を送信する送信部と、前記下り制御情報で指定される上り制御チャネルの送信スロットに基づいて決定されるグループ毎、又は前記下り制御情報で指定される上り制御チャネルリソースに基づいて決定されるグループ毎に、前記下り制御情報に含まれる下り割当てインデックスを利用して前記送達確認信号の送信を制御する制御部と、を有する。
2020026291.tif 000002
【特許請求の範囲】
【請求項１】
下り制御情報でスケジューリングされる下り共有チャネルを受信する受信部と、
前記下り共有チャネルに対する送達確認信号を送信する送信部と、
前記下り制御情報で指定される上り制御チャネルの送信スロットに基づいて決定されるグループ毎、又は前記下り制御情報で指定される上り制御チャネルリソースに基づいて決定されるグループ毎に、前記下り制御情報に含まれる下り割当てインデックスを利用して前記送達確認信号の送信を制御する制御部と、を有することを特徴とするユーザ端末。
【請求項２】
前記制御部は、ＵＥ能力に基づいて、前記上り制御チャネルの送信スロットに基づいて決定されるグループ毎に前記送達確認信号の送信を制御する方法と、前記上り制御チャネルリソースに基づいて決定されるグループ毎に前記送達確認信号の送信を制御する方法の一方を選択することを特徴とする請求項１に記載のユーザ端末。
【請求項３】
前記制御部は、前記上り制御チャネルリソースに基づいて決定されるグループ毎に前記送達確認信号の送信を制御する場合、所定スロットの異なる上り制御チャネルリソースを利用した前記送達確認信号の送信を想定することを特徴とする請求項１又は請求項２に記載のユーザ端末。
【請求項４】
前記制御部は、ＵＥ能力に関わらず、前記上り制御チャネルリソースに基づいて決定されるグループ毎に前記送達確認信号の送信を制御することを特徴とする請求項１に記載のユーザ端末。
【請求項５】
前記制御部は、前記上り制御チャネルリソースに基づいて決定されるグループ毎に前記送達確認信号の送信を制御する場合、同一スロットの異なる上り制御チャネルリソースを利用する複数グループが存在する場合にいずれか１つのグループに対応する送達確認信号を送信するように制御することを特徴とする請求項１又は請求項４に記載のユーザ端末。
【請求項６】
前記制御部は、前記下り制御情報で同一スロットにおける異なる上り制御チャネルリソースが指定されないと想定することを特徴とする請求項１、請求項４又は請求項５に記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）では、ユーザ端末（ＵＥ：User  Equipment）は、下り制御チャネル（例えば、ＰＤＣＣＨ：Physical  Downlink  Control  Channel）を介して伝送される下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。【０００５】
また、既存のＬＴＥシステムでは、１ｍｓのサブフレーム（伝送時間間隔（ＴＴＩ：Transmission  Time  Interval）などともいう）を用いて、下りリンク（ＤＬ：Downlink）および上りリンク（ＵＬ：Uplink）の通信が行われる。当該サブフレームは、チャネル符号化された１データパケットの送信時間単位であり、スケジューリング、リンクアダプテーションおよび再送制御（ＨＡＲＱ：Hybrid  Automatic  Repeat  Request）などの処理単位となる。【０００６】
また、既存のＬＴＥシステムでは、ＤＬ信号（例えば、ＰＤＳＣＨ）に対する送達確認信号（ＨＡＲＱ−ＡＣＫ、ＡＣＫ／ＮＡＣＫ、又はＡ／Ｎとも呼ぶ）を４サブフレーム後にフィードバックするように制御される。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（例えば、ＮＲ、５Ｇ、５Ｇ＋又はＲｅｌ．１５以降）では、ＤＬ信号（例えば、ＰＤＳＣＨ）に対する送達確認信号（ＨＡＲＱ−ＡＣＫ、ＡＣＫ／ＮＡＣＫ、又はＡ／Ｎとも呼ぶ）の送信タイミングを、ＤＣＩ等を利用してＵＥに指定することが想定される。そのため、異なる送信期間（例えば、スロット）で送信されるＰＤＳＣＨに対応するＨＡＲＱ−ＡＣＫが同じスロットで送信されるケースも生じる。【０００９】
また、ＮＲでは、ＨＡＲＱ−ＡＣＫの送信に利用するリソース（例えば、上り制御チャネルリソース）を、ＤＣＩ等を利用してＵＥに指定することも考えられる。そのため、所定の送信期間（例えば、スロット）において、異なる上り制御チャネルリソースが指定されるケースも生じる。【００１０】
ＵＥは、ＨＡＲＱ−ＡＣＫをコードブックに基づいて（コードブック単位で）フィードバックする。しかし、各ＨＡＲＱ−ＡＣＫの送信に利用される送信タイミング（例えば、スロット）及びリソースの少なくとも一方が柔軟に制御される場合、ＨＡＲＱ−ＡＣＫコードブックの生成をどのように制御するかが問題となる。ＨＡＲＱ−ＡＣＫコードブックを適切に生成できないと通信品質の劣化等が生じるおそれがある。【００１１】
そこで、本開示は、送達確認信号の送信タイミング及びリソースの少なくとも一方が柔軟に設定される場合であっても送達確認信号の送信を適切に行うことができるユーザ端末を提供することを目的の１つとする。
【課題を解決するための手段】
【００１２】
本開示の一態様に係るユーザ端末は、下り制御情報でスケジューリングされる下り共有チャネルを受信する受信部と、前記下り共有チャネルに対する送達確認信号を送信する送信部と、前記下り制御情報で指定される上り制御チャネルの送信スロットに基づいて決定されるグループ毎、又は前記下り制御情報で指定される上り制御チャネルリソースに基づいて決定されるグループ毎に、前記下り制御情報に含まれる下り割当てインデックスを利用して前記送達確認信号の送信を制御する制御部と、を有することを特徴とする。
【発明の効果】
【００１３】
本開示の一態様によれば、送達確認信号の送信タイミング及びリソースの少なくとも一方が柔軟に設定される場合であっても送達確認信号の送信を適切に行うことが可能となる。
【図面の簡単な説明】
【００１４】
【図１】図１は、ＨＡＲＱ−ＡＣＫの送信方法の一例を示す図である。
【図２】図２は、カウンタＤＡＩ及びトータルＤＡＩを利用したＨＡＲＱ−ＡＣＫの送信方法の一例を示す図である。
【図３】図３は、ＤＣＩグループ毎にＨＡＲＱ−ＡＣＫ送信を制御する場合の一例を示す図である。
【図４】図４は、ＤＣＩグループ毎にＨＡＲＱ−ＡＣＫ送信を制御する場合の別の例を示す図である。
【図５】図５は、態様１−１に係るＨＡＲＱ−ＡＣＫ送信の一例を示す図である。
【図６】図６は、態様１−２に係るＨＡＲＱ−ＡＣＫ送信の一例を示す図である。
【図７】図７は、態様２−１に係るＨＡＲＱ−ＡＣＫ送信の一例を示す図である。
【図８】図８は、態様２−２に係るＨＡＲＱ−ＡＣＫ送信の一例を示す図である。
【図９】図９は、本実施の形態に係る無線通信システムの概略構成の一例を示す図である。
【図１０】図１０は、本実施の形態に係る無線基地局の全体構成の一例を示す図である。
【図１１】図１１は、本実施の形態に係る無線基地局の機能構成の一例を示す図である。
【図１２】図１２は、本実施の形態に係るユーザ端末の全体構成の一例を示す図である。
【図１３】図１３は、本実施の形態に係るユーザ端末の機能構成の一例を示す図である。
【図１４】図１４は、本実施の形態に係る無線基地局及びユーザ端末のハードウェア構成の一例を示す図である。
【発明を実施するための形態】
【００１５】
将来の無線通信システム（以下、ＮＲとも記す）では、ＵＥが、ＨＡＲＱ−ＡＣＫコードブック（ＨＡＲＱ−ＡＣＫサイズと呼ばれてもよい）を準静的（semi-static）又は動的（dynamic）に決定することが検討されている。基地局がＵＥに対して、ＨＡＲＱ−ＡＣＫコードブックの決定方法を示す情報（例えば、ＨＡＲＱ−ＡＣＫコードブックが準静的か、動的かを示す情報）を、上位レイヤシグナリングを用いて通知してもよい。ＨＡＲＱ−ＡＣＫコードブックは、ＰＤＳＣＨのＨＡＲＱ−ＡＣＫコードブックと呼ばれてもよい。
【００１６】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１７】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００１８】
ＵＥが所定のセル、セルグループ（ＣＧ）、又はＰＵＣＣＨグループ、などにおいて、ＨＡＲＱ−ＡＣＫコードブックを準静的に決定すること（又は準静的なＨＡＲＱ−ＡＣＫコードブック）を設定される場合、当該ＨＡＲＱ−ＡＣＫコードブックの決定は、タイプ１ＨＡＲＱ−ＡＣＫコードブック決定と呼ばれてもよい。ＵＥがＨＡＲＱ−ＡＣＫコードブックを動的に決定すること（又は動的なＨＡＲＱ−ＡＣＫコードブック）を設定される場合、当該ＨＡＲＱ−ＡＣＫコードブックの決定は、タイプ２ＨＡＲＱ−ＡＣＫコードブック決定と呼ばれてもよい。
【００１９】
ＵＥは、タイプ１ＨＡＲＱ−ＡＣＫコードブック決定においては、上位レイヤシグナリングで設定される構成に基づいてＨＡＲＱ−ＡＣＫのビット数などを決定してもよい。当該設定される構成は、例えば、ＨＡＲＱ−ＡＣＫのフィードバックタイミングに関連付けられる範囲にわたってスケジューリングされるＤＬ送信（例えば、ＰＤＳＣＨ）の数（例えば、最大数、最小数など）を含んでもよい。
【００２０】
当該範囲は、ＨＡＲＱ−ＡＣＫバンドリングウィンドウ、ＨＡＲＱ−ＡＣＫフィードバックウィンドウ、バンドリングウィンドウ、フィードバックウィンドウなどとも呼ばれる。バンドリングウィンドウは、空間（space）、時間（time）及び周波数（frequency）の少なくとも１つの範囲に該当してもよい。
【００２１】
一方で、ＵＥは、タイプ２ＨＡＲＱ−ＡＣＫコードブック決定においては、下り制御情報（例えば、DL  assignment）に含まれるＤＬ割当てインデックス（ＤＡＩ：Downlink  Assignment  Indicator（Index））フィールドのビット列に基づいてＨＡＲＱ−ＡＣＫビット数などを決定してもよい。
【００２２】
ＵＥは、決定したＨＡＲＱ−ＡＣＫコードブックに基づいて、ＨＡＲＱ−ＡＣＫ情報ビットを決定（生成）し、生成したＨＡＲＱ−ＡＣＫを、上り制御チャネル（ＰＵＣＣＨ：Physical  Uplink  Control  Channel）及び上り共有チャネル（ＰＵＳＣＨ：Physical  Uplink  Shared  Channel）の少なくとも一方を用いて送信してもよい。
【００２３】
図１は、ＰＵＣＣＨを利用したＨＡＲＱ−ＡＣＫのフィードバック制御の一例を示す図である。本例において「ＤＬ」又は「ＵＬ」が付された部分は所定のリソース（例えば、時間／周波数リソース）を示し、各部分の期間は任意の時間単位（例えば、１つ又は複数のスロット、ミニスロット、シンボル、又はサブフレームなど）に対応する。以降の例でも同様である。
【００２４】
図１の場合、ＵＥは、ＨＡＲＱ−ＡＣＫのフィードバックに関連づけられた所定範囲（例えば、バンドリングウィンドウ、又はＨＡＲＱ−ＡＣＫオケージョン）においてスケジューリングされるＰＤＳＣＨに対応するＡ／Ｎを、所定の上り制御チャネルのリソースを用いて送信する。各ＰＤＳＣＨに対するＨＡＲＱ−ＡＣＫのフィードバックタイミングは、各ＰＤＳＣＨをスケジューリングする下り制御情報（例えば、ＤＬアサイメント）でＵＥに指定してもよい。
【００２５】
ダイナミックＨＡＲＱ−ＡＣＫコードブックを適用する場合、スケジューリングされるＰＤＳＣＨの数に基づいて多重するＨＡＲＱ−ＡＣＫのコードブックサイズを動的に変更できる。これにより、ＨＡＲＱ−ＡＣＫを割当てるリソースの利用効率を向上することができる。この場合、ＵＥが受信したＰＤＳＣＨに基づいて多重するＨＡＲＱ−ＡＣＫのビット数を決定することが考えられる。しかし、ＵＥがＰＤＳＣＨをスケジューリングする一部またはすべてのＤＣＩ（又はＰＤＣＣＨ）を検出ミスすると、実際にスケジューリングされるＰＤＳＣＨ数とＵＥで受信したＰＤＳＣＨ数が異なる問題が生じる。
【００２６】
そのため、ＵＥは、ＤＬ送信（例えば、ＰＤＳＣＨ）を指示するＤＣＩに含まれるＤＬ割当てインデックス（ＤＡＩ）に基づいて、ＨＡＲＱ−ＡＣＫ送信（例えば、ＨＡＲＱ−ＡＣＫコードブックサイズ、ＨＡＲＱ−ＡＣＫ配置順序等）を制御する。
【００２７】
図２に、ＤＣＩに含まれるＤＡＩに基づいてＰＵＣＣＨに多重するＨＡＲＱ−ＡＣＫのコードブックサイズ及びＨＡＲＱ−ＡＣＫビット配置を決定する場合の一例を示す。ＨＡＲＱ−ＡＣＫビット配置は、ＵＥが１以上のＨＡＲＱ−ＡＣＫを送信する場合のＨＡＲＱ−ＡＣＫビット配置（又は、ＨＡＲＱ−ＡＣＫビットの順序）を指す。ＨＡＲＱ−ＡＣＫビット配置（又は、順序）を所定ルールにしたがって制御することにより、ＵＥと基地局間で各ＰＤＳＣＨに対応するＨＡＲＱ−ＡＣＫの認識を一致させることができる。
【００２８】
図２では、ＵＥに４個のＣＣ（又は、セル）が設定され、ＨＡＲＱ−ＡＣＫのフィードバックタイミングに関連付けられた範囲（例えば、バンドリングウィンドウ）として、４個の時間単位（例えば、４スロット）が対応する場合を示している。バンドリングウィンドウは、下り制御情報で指示されるＨＡＲＱ−ＡＣＫタイミング及びＰＵＣＣＨリソースに基づいて決定してもよい。
【００２９】
図２では、１スロット目においてＣＣ＃０、ＣＣ＃１及びＣＣ＃３にＰＤＳＣＨがスケジューリングされる。同様に、２スロット目においてＣＣ＃０及びＣＣ＃２がスケジューリングされ、３スロット目においてＣＣ＃２がスケジューリングされ、４スロット目においてＣＣ＃０、ＣＣ＃１及びＣＣ＃３にＰＤＳＣＨがスケジューリングされる。つまり、バンドリングウィンドウの範囲（ここでは、総数１６＝４ＣＣ×４スロット）において９個のＤＬデータが実際にスケジューリングされる場合に相当する。
【００３０】
この場合、基地局は、スケジューリングされるＤＬデータの総数に関する情報を、ＰＤＳＣＨのスケジューリング指示に利用する下り制御情報に含めてＵＥに送信する。なお、バンドリングウィンドウが複数の時間単位で設定される場合、基地局は、各スロットで送信されるＤＣＩに対して各スロットまでのＤＬデータの総数を通知してもよい。
【００３１】
スケジューリングされるＤＬデータの総数に関する情報は、ＵＥがフィードバックするＨＡＲＱ−ＡＣＫの総ビット数（又は、コードブックサイズ）に相当する。スケジューリングされるＤＬデータの総数に関する情報は、トータルＤＡＩ（Ｔ−ＤＡＩ）と呼ばれてもよい。
【００３２】
また、各ＰＤＳＣＨのスケジューリングに利用するＤＣＩにおいて、トータルＤＡＩに加えてカウンタＤＡＩ（Ｃ−ＤＡＩ）が含まれていてもよい。カウンタＤＡＩは、スケジューリングされたデータの累積値を示す。例えば、ある時間単位（スロット又はサブフレーム）においてスケジューリングされる１又は複数のＣＣの下り制御情報に、ＣＣインデックス順にナンバリングしたカウンタＤＡＩをそれぞれ含めてもよい。また、複数の時間単位にわたってスケジューリングされるＤＬデータに対するＨＡＲＱ−ＡＣＫをまとめてフィードバックする場合（例えば、バンドリンクウィンドウが複数スロットで構成される場合）、複数の時間単位にわたってカウンタＤＡＩを適用してもよい。
【００３３】
図２では、バンドリングウィンドウにおいて、ＤＬデータのスケジューリングを指示する下り制御情報にそれぞれカウンタＤＡＩとトータルＤＡＩを含める場合を示している。例えば、スケジューリングされる９個のＤＬデータに対して、スロットインデックスが小さい期間からＣＣインデックスが小さい順番にカウンタＤＡＩを累積する。ここでは、カウンタＤＡＩを２ビットとする場合を示しているため、１スロット目のＣＣ＃１から４スロット目のＣＣ＃４までにスケジューリングされているデータに、“１”、“２”、“３”、“０”の順番にナンバリングを繰り返して行う。
【００３４】
トータルＤＡＩは、スケジューリングされたデータの合計値（総数）を示す。例えば、ある時間単位（スロット又はサブフレーム）においてスケジューリングされる１又は複数のＣＣの下り制御情報に、スケジューリングされるデータ数をそれぞれ含めてもよい。つまり、同じスロットで送信される下り制御情報に含まれるトータルＤＡＩ値は同じとなる。また、複数の時間単位に渡ってスケジューリングされるＤＬデータに対するＨＡＲＱ−ＡＣＫをまとめてフィードバックする場合（例えば、バンドリンクウィンドウが複数スロットで構成される場合）、複数の時間単位に渡ってそれぞれトータルＤＡＩが設定される。
【００３５】
図２では、１スロット目に３つのＤＬデータがスケジューリングされるため、１スロット目で送信されるＤＬアサイメントのトータルＤＡＩは３（“３”）となる。２スロット目では２つのＤＬデータがスケジューリングされるため（１スロット目からの合計では５）、２スロット目で送信されるＤＬアサイメントのトータルＤＡＩは５（“１”）となる。３スロット目では１つのＤＬデータがスケジューリングされるため（１スロット目からの合計では６）、３スロット目で送信されるＤＬアサイメントのトータルＤＡＩは６（“２”）となる。４スロット目では３つのＤＬデータがスケジューリングされるため（１スロット目からの合計では９）、４スロット目で送信されるＤＬアサイメントのトータルＤＡＩは９（“１”）となる。
【００３６】
図２では、バンドリングウィンドウにおいて、ＤＬデータのスケジューリングを指示する下り制御情報にそれぞれトータルＤＡＩを含める。各スロットの下り制御情報に、各スロットまでにスケジューリングされたＤＬデータ数の合計値をトータルＤＡＩとして下り制御情報に含める。ここでは、トータルＤＡＩをカウンタＤＡＩと同様に２ビットとする場合を示しているため、あるスロットにおいてＤＬデータがスケジューリングされるＣＣのうちＣＣインデックスが最大の下り制御情報に含まれるカウンタＤＡＩと、当該スロットのトータルＤＡＩの値が同じとなる。
【００３７】
なお、カウンタＤＡＩとトータルＤＡＩは、ＣＣ数でなくコードワード（ＣＷ）数に基づいて設定することもできる。図２では、ＣＣ数（又は、各ＣＣが１ＣＷである場合）に基づいてカウンタＤＡＩとトータルＤＡＩを設定する場合を示しているが、ＣＷ数に基づいてカウンタＤＡＩとトータルＤＡＩが設定されてもよい。
【００３８】
ＵＥは、基地局から上位レイヤシグナリング等でダイナミックＨＡＲＱ−ＡＣＫコードブックが設定された場合、フィードバックするＨＡＲＱ−ＡＣＫビット配置（ＨＡＲＱ−ＡＣＫビット順序、又はＡ／Ｎの割当て順序とも呼ぶ）を下り制御情報に含まれるカウンタＤＡＩに基づいて制御してもよい。
【００３９】
ＵＥは、受信した下り制御情報に含まれるカウンタＤＡＩが非連続となる場合、当該非連続となる対象（ＤＬデータ）をＮＡＣＫとして基地局にフィードバックする。これにより、ＵＥがあるＣＣのデータをスケジューリングする下り制御情報自体を検出ミスした場合でも、ＮＡＣＫとしてフィードバックすることにより、ＵＥが検出ミスしたＣＣ自体を認識できなくても再送制御を適切に行うことができる。
【００４０】
このように、ＨＡＲＱ−ＡＣＫビットの順序は、カウンタＤＡＩの値（カウンタＤＡＩ値）に基づいて決定される。また、所定時間単位（例えば、ＰＤＣＣＨモニタリングオケージョン）におけるカウンタＤＡＩ値は、ＣＣ（又は、セル）インデックスに基づいて決定される。
【００４１】
ＮＲでは、ＤＬ送信（例えば、ＰＤＳＣＨ）をスケジューリングするＤＣＩとして、第１のＤＣＩフォーマット及び第２のＤＣＩフォーマットが少なくとも定義されることが検討されている。第１のＤＣＩフォーマットと第２のＤＣＩフォーマットは、内容及びペイロードサイズ等が異なって定義される。第１のＤＣＩフォーマットは、ＤＣＩフォーマット１＿０と呼ばれてもよく、第２のＤＣＩフォーマットは、ＤＣＩフォーマット１＿１と呼ばれてもよい。
【００４２】
同様に、ＵＬ送信（例えば、ＰＵＳＣＨ）をスケジューリングするＤＣＩとして、ＤＣＩフォーマット０＿０及びＤＣＩフォーマット０＿１が少なくとも定義されることが検討されている。
【００４３】
ＮＲでは、カウンタＤＡＩは、第１のＤＣＩフォーマット及び第２のＤＣＩフォーマットの両方に含まれる一方で、トータルＤＡＩは、一方のＤＣＩフォーマットに含まれる構成とすることが検討されている。具体的には、第１のＤＣＩフォーマットにはトータルＤＡＩを含めず、第２のＤＣＩフォーマットにトータルＤＡＩを含めることが考えられる。
【００４４】
次に、ＰＵＳＣＨを利用したＨＡＲＱ−ＡＣＫのフィードバック制御について説明する。
【００４５】
ＤＣＩフォーマットによりスケジューリングされないＰＵＳＣＨ又はＤＣＩフォーマット０＿０によりスケジューリングされるＰＵＳＣＨにおいて、ＵＥがＨＡＲＱ−ＡＣＫのフィードバックを多重する場合、ＰＵＣＣＨにおけるＨＡＲＱ−ＡＣＫの多重と同様の動作とすることができる。すなわち、２ビットのカウンタＤＡＩが第１のＤＣＩフォーマット１＿０及び第２のＤＣＩフォーマット１＿１の少なくとも一方に含まれる一方で、２ビットのトータルＤＡＩが一方のＤＣＩフォーマット（例えば第２のＤＣＩフォーマット１＿１）に含まれてもよい。
【００４６】
これに対して、ＤＣＩフォーマット０＿１によりスケジューリングされるＰＵＳＣＨにおいて、ＵＥがＨＡＲＱ−ＡＣＫを多重してフィードバックする場合、２ビットのカウンタＤＡＩが第１のＤＣＩフォーマット１＿０及び第２のＤＣＩフォーマット１＿１の少なくとも一方に含まれる。また、ＰＵＳＣＨをスケジューリングするＤＣＩ（例えば、ＤＣＩフォーマット０＿１）に含まれるＵＬ  ＤＡＩ（例えば、最初の２ビット）をトータルＤＡＩとして利用してもよい。
【００４７】
なお、単一のサービングセルのみが構成される場合には、第２のＤＣＩフォーマット１＿１にトータルＤＡＩが含まれない構成としてもよい。
【００４８】
また、ダイナミックＨＡＲＱ−ＡＣＫコードブックを利用してＨＡＲＱ−ＡＣＫ送信を行う場合、トランスポートブロック（ＴＢ）単位で行ってもよいし、コードブロック（ＣＢ）単位で行ってもよい。この場合、ＴＢベースのＨＡＲＱ−ＡＣＫ送信とＣＢベースのＨＡＲＱ−ＡＣＫ送信について、ＨＡＲＱ−ＡＣＫコードブックを別々に生成（コードブックと、サブコードブックとを生成）してもよい。
【００４９】
ＨＡＲＱ−ＡＣＫサブコードブックとして、例えば、２ビットのカウンタＤＡＩが第１のＤＣＩフォーマット１＿０及び第２のＤＣＩフォーマット１＿１の少なくとも一方に含まれ、２ビットのトータルＤＡＩが一方のＤＣＩフォーマット（例えば第２のＤＣＩフォーマット１＿１）に含まれてもよい。また、ＵＬ方向のトータルＤＡＩの最初の２ビットが最初のサブコードブックとしてＤＣＩフォーマット０＿１に含まれ、ＵＬ方向のトータルＤＡＩの次の２ビットが次のサブコードブックとしてＤＣＩフォーマット０＿１に含まれてもよい。
【００５０】
このように、ＵＥは、ＰＤＣＣＨで送信されるＤＣＩを利用して、当該ＤＣＩでスケジューリングされるＰＤＳＣＨに対するＨＡＲＱ−ＡＣＫのフィードバックを制御する。ＵＥがＰＤＣＣＨをモニタする範囲（ＰＤＣＣＨモニタリングオケージョンとも呼ぶ）は、コントロールリソースセット（CORESET）及びサーチスペース（search  space）の構成の少なくとも一方によって決定されてもよい。ＰＤＣＣＨモニタリングオケージョンは、適用するＨＡＲＱ−ＡＣＫコードブック種別（タイプ１又はタイプ２）に関わらず設定されてもよい。
【００５１】
ＵＥは、ＰＤＳＣＨをスケジューリングするＤＬ  ＤＣＩを検出する。ＤＬ  ＤＣＩは、いずれの上り制御チャネルリソース（例えば、ＰＵＣＣＨリソース）を指し示しているかに応じてグループ化（グループに分類）されてもよい。例えば、同一のＰＵＣＣＨリソースを指し示すＤＬ  ＤＣＩをグループ化してもよい。ＤＬ  ＤＣＩが同一のＰＵＣＣＨリソースを指し示しているか否かについては、例えば、｛Ｋ０、Ｋ１、ＰＵＣＣＨ  ｒｅｓｏｕｒｃｅ  ｉｎｄｉｃａｔｏｒ、ＰＤＳＣＨ−ａｇｇｒｅｃａｔｉｏｎＦａｃｔｏｒ｝等のパラメータにより決定されてもよい。
【００５２】
例えば、Ｋ０は、ＰＤＳＣＨのスケジューリングタイミング（例えば、ＤＣＩとスケジューリングされるＰＤＳＣＨ間のオフセット）に相当する。Ｋ０は、ＤＣＩ及び上位レイヤ（例えば、ＲＲＣシグナリング）の少なくとも一つによりＵＥに通知されてもよい。Ｋ１は、ＤＣＩによりスケジューリングされたＰＤＳＣＨに対するＨＡＲＱ−ＡＣＫの送信タイミング（例えば、ＰＤＳＣＨとＨＡＲＱ−ＡＣＫ間のオフセット）に相当する。Ｋ１は、ＤＣＩ及び上位レイヤの少なくとも一つによりＵＥに通知されてもよい。
【００５３】
また、ＰＵＣＣＨリソース識別子（ＰＵＣＣＨ  ｒｅｓｏｕｒｃｅ  ｉｎｄｉｃａｔｏｒ）は、ＨＡＲＱ−ＡＣＫの送信に利用するＰＵＣＣＨリソースに相当する。ＰＵＣＣＨリソース識別子は、ＤＣＩ及び上位レイヤの少なくとも一つによりＵＥに通知されてもよい。また、ＰＤＳＣＨの繰り返しファクター（ＰＤＳＣＨ−ａｇｇｒｅｃａｔｉｏｎＦａｃｔｏｒ）は、ＰＤＳＣＨの繰り返し送信数（又は、繰り返し送信候補数）に相当する。ＰＤＳＣＨの繰り返しファクターは、ＤＣＩ及び上位レイヤの少なくとも一つによりＵＥに通知されてもよい。
【００５４】
ＵＥは、ＤＣＩグループ毎にＨＡＲＱ−ＡＣＫの送信処理（例えば、ＨＡＲＱ−ＡＣＫコードブックの生成等）を制御してもよい。例えば、ＵＥは、同じＰＵＣＣＨリソースに関連づけられたＤＣＩグループ毎にＨＡＲＱ−ＡＣＫコードブックを生成してもよい。この場合、所定のＤＬ  ＤＣＩのグループについて、ＨＡＲＱ−ＡＣＫコードブックにおけるＨＡＲＱ−ＡＣＫビットオーダーは、カウンタＤＡＩによって決定されてもよい。ＨＡＲＱ−ＡＣＫビットのトータル値は、例えば、上述したような予め設定された所定ルールに基づいて、トータルＤＡＩ又はＵＬ  ＤＡＩによって決定されてもよい。つまり、ＤＣＩグループ毎にカウンタＤＡＩ及びトータルＤＡＩの少なくとも一つが適用されてもよい。
【００５５】
図３は、ＤＣＩグループ毎にＨＡＲＱ−ＡＣＫ送信を制御する場合の一例を示す図である。図３の例では、２つのＣＣ＃１とＣＣ＃２について、８つのＤＬスロット（スロット＃０−＃７）と２つのＵＬスロット（スロット＃８−＃９）が設定されている。例えば、ＣＣ＃１はプライマリセル（又は、ＰＳＣｅｌｌ、ＰＵＣＣＨ  ＳＣｅｌｌ）であってもよく、ＣＣ＃２はセカンダリセルであってもよい。
【００５６】
ＣＣ＃１とＣＣ＃２の各ＤＬスロットにおいて、それぞれＰＤＳＣＨをスケジューリングするＤＣＩが送信される。ここでは、ＰＵＣＣＨリソース＃１（例えば、スロット＃８のＰＵＣＣＨリソース）を指示するＤＣＩがＤＣＩグループ＃１に属し、ＰＵＣＣＨリソース＃２（例えば、スロット＃９のＰＵＣＣＨリソース）を指示するＤＣＩがＤＣＩグループ＃２に属する場合を示している。
【００５７】
この場合、ＵＥは、ＤＣＩグループ＃１に属するＤＣＩでスケジューリングされるＰＤＳＣＨのＨＡＲＱ−ＡＣＫをＰＵＣＣＨリソース＃１を利用して送信する。この場合、ＨＡＲＱ−ＡＣＫコードブックのＨＡＲＱ−ＡＣＫビットオーダーは、ＤＣＩグループ＃１に属するＤＣＩで通知されるカウンタＤＡＩ及びトータルＤＡＩを利用すればよい。同様に、ＵＥは、ＤＣＩグループ＃２に属するＤＣＩでスケジューリングされるＰＤＳＣＨのＨＡＲＱ−ＡＣＫをＰＵＣＣＨリソース＃２で送信する。この場合、ＨＡＲＱ−ＡＣＫコードブックのＨＡＲＱ−ＡＣＫビットオーダーは、ＤＣＩグループ＃２に属するＤＣＩで通知されるカウンタＤＡＩ及びトータルＤＡＩを利用すればよい。
【００５８】
このようにＮＲでは、ＰＤＳＣＨに対するＨＡＲＱ−ＡＣＫの送信タイミング（例えば、スロット）と、ＰＵＣＣＨリソースとを柔軟に設定することができる。なお、図３では、スロット毎（又は、１スロット内）に１つのＰＵＣＣＨリソースが設定される場合を示しているが、低遅延化を図る観点からは１スロット内に複数のＰＵＣＣＨリソースを設定することも想定される（図４参照）。
【００５９】
図４では、ＤＣＩグループ＃１が指定するＰＵＣＣＨリソース＃１と、ＤＣＩグループ＃２が指定するＰＵＣＣＨリソース＃２が同じスロット（ここでは、スロット＃８）に設定される場合を示している。
【００６０】
一方で、ＵＥによっては、１スロットにおいて複数のＰＵＣＣＨリソースを利用したＨＡＲＱ−ＡＣＫの送信をサポートしない場合も考えられる。かかる場合、１スロットで複数のＰＵＣＣＨリソース（ＨＡＲＱ−ＡＣＫ）を送信できないＵＥと、１スロットで複数のＰＵＣＣＨリソース（ＨＡＲＱ−ＡＣＫ）を送信できるＵＥが存在する場合に、どのようにダイナミックＨＡＲＱ−ＡＣＫ送信を制御するかが問題となる。
【００６１】
本発明者等は、ＵＥ能力を考慮して別々のＨＡＲＱ−ＡＣＫの送信処理（例えば、ＨＡＲＱ−ＡＣＫコードブック生成等）を適用してＨＡＲＱ−ＡＣＫ送信を制御すること、又は、ＵＥ能力に関わらず共通のＨＡＲＱ−ＡＣＫの送信処理（例えば、ＨＡＲＱ−ＡＣＫコードブック生成等）を適用してＨＡＲＱ−ＡＣＫ送信を制御することを着想した。
【００６２】
以下、本発明に係る実施形態について、図面を参照して詳細に説明する。以下の各態様は、それぞれ単独で適用されてもよいし、組み合わせて適用されてもよい。
【００６３】
また、以下の説明では、ＨＡＲＱ−ＡＣＫを上り制御チャネル（例えば、ＰＵＣＣＨ）に多重する場合、及びＨＡＲＱ−ＡＣＫを上り共有チャネル（例えば、ＰＵＳＣＨ）に多重する場合の少なくとも一方に適用することができる。例えば、以下の説明において、下り制御情報（ＤＣＩ）は、ＤＬ送信をスケジューリングするＤＣＩ（ＤＣＩフォーマット１＿０、１＿１）に適用してもよいし、ＵＬ送信をスケジューリングするＤＣＩ（ＤＣＩフォーマット０＿０、０＿１）に適用してもよい。
【００６４】
（第１の態様）
第１の態様では、ＵＥ能力に基づいてＨＡＲＱ−ＡＣＫの送信処理（例えば、ＨＡＲＱ−ＡＣＫコードブック生成等）を別々に制御する。ＵＥ及び基地局は、ＵＥ能力情報に基づいてダイナミックコードブックを利用したＨＡＲＱ−ＡＣＫの送信方法を使い分けてもよい。以下に、１スロットで複数のＰＵＣＣＨリソースを利用したＨＡＲＱ−ＡＣＫの送信をサポートしないＵＥのＨＡＲＱ−ＡＣＫ送信制御（態様１−１）と、１スロットで複数のＰＵＣＣＨリソースを利用したＨＡＲＱ−ＡＣＫの送信をサポートするＵＥのＨＡＲＱ−ＡＣＫ送信制御（態様１−２）について説明する。
【００６５】
＜態様１−１＞
１スロットで複数のＰＵＣＣＨリソース（ＨＡＲＱ−ＡＣＫ）を送信できないＵＥは、スロット単位でＨＡＲＱ−ＡＣＫコードブックの生成（例えば、ＤＡＩの適用）を行う。また、ＵＥは、ＤＣＩで通知されるＨＡＲＱ−ＡＣＫの送信タイミング（例えば、ＰＵＣＣＨの送信スロット）に基づいて決定されるグループ毎にＨＡＲＱ−ＡＣＫの送信を制御する。
【００６６】
例えば、ＵＥは、ＰＵＣＣＨ（又は、ＨＡＲＱ−ＡＣＫ）の送信タイミングとして少なくとも同一スロットを示す１以上のＤＣＩに含まれるＤＡＩ（カウンタＤＡＩ及びトータルＤＡＩの少なくとも一方）に基づいて、ＨＡＲＱ−ＡＣＫコードブックを生成する。ＵＥは、同一スロットの異なるＰＵＣＣＨリソースを示す複数のＤＣＩを受信した場合であっても、当該複数のＤＣＩが同一グループに属すると想定してＨＡＲＱ−ＡＣＫの送信処理を行ってもよい。この場合、ＵＥは、グループの中で最後に受信したＤＣＩで指定されるＰＵＣＣＨリソースを用いてＨＡＲＱ−ＡＣＫの送信を行ってもよい。
【００６７】
図５は、態様１−１に係るＨＡＲＱ−ＡＣＫ送信の一例を示す図である。図５の例では、２つのＣＣ＃１とＣＣ＃２が設定される場合を示している。例えば、ＣＣ＃１はプライマリセルであってもよく、ＣＣ＃２はセカンダリセルであってもよい。なお、設定可能なＣＣ数はこれに限られない。また、図５では、スロット＃０、＃１で送信されるＤＣＩ（又は、ＰＤＳＣＨ）に対するＨＡＲＱ−ＡＣＫがスロット＃３で送信される場合を示している。以下に、ＵＥ動作の一例について説明する。
【００６８】
ＵＥは、ＰＤＣＣＨのモニタリングオケージョンについてモニタを行いＰＤＣＣＨで送信されるＤＣＩの検出を試みる。ＰＤＣＣＨモニタリングオケージョンは、コントロールリソースセット（CORESET）及びサーチスペース（search  space）の構成の少なくとも一方によって決定されてもよい。ＰＤＣＣＨのモニタリングオケージョンは、ＨＡＲＱ−ＡＣＫコードブック種別に関わらず設定されてもよい。
【００６９】
ＵＥは、ＤＣＩを検出した場合、当該ＤＣＩでスケジューリングされるＰＤＳＣＨの受信又はＰＵＳＣＨの送信を行う。例えば、ＵＥは、ＰＤＳＣＨをスケジューリングするＤＣＩを受信した場合、当該ＤＣＩで指示される情報に基づいてＰＤＳＣＨを受信すると共に、当該ＰＤＳＣＨに対するＨＡＲＱ−ＡＣＫの送信を行う。
【００７０】
ＵＥは、ＤＣＩがＰＵＣＣＨ送信用に指定するスロット（例えば、スロットインデックス）に基づいて、受信したＤＣＩ（例えば、ＤＬ  ＤＣＩ）をグループ化（グループに分類）してもよい。例えば、ＰＵＣＣＨ送信のために同一のスロットを指定しているＤＣＩを同一グループに属すると判断し、グループ単位でＨＡＲＱ−ＡＣＫの送信を制御してもよい。ＵＥは、ＤＣＩがＰＵＣＣＨ送信用に指定するスロットについて、例えば、｛Ｋ０、Ｋ１、ＰＵＣＣＨ  ｒｅｓｏｕｒｃｅ  ｉｎｄｉｃａｔｏｒ、ＰＤＳＣＨ−ａｇｇｒｅｃａｔｉｏｎＦａｃｔｏｒ｝等のパラメータに基づいて判断してもよい。
【００７１】
あるいは、ＤＣＩで指定されるＰＵＣＣＨリソース毎にグループ化を行う場合、ＵＥは、同一スロットに設置されるＰＵＣＣＨグループに対応するＤＣＩグループが同一ＤＣＩグループであると想定してもよい。図５に示す場合、ＵＥは、スロット＃３に設定されるＰＵＣＣＨリソース＃１に対応するＤＣＩグループ＃１と、ＰＵＣＣＨリソース＃２に対応するＤＣＩグループ＃２が同一のＤＣＩグループに属すると判断する。
【００７２】
図５では、ＣＣ＃１において、ＵＥはスロット＃０とスロット＃１でそれぞれＰＤＳＣＨをスケジューリングするＤＣＩを受信する場合を示している。例えば、ＣＣ＃１のスロット＃０で送信されるＤＣＩにより、Ｋ０＝０、Ｋ１＝３、ＰＵＣＣＨリソース識別子＝ＰＵＣＣＨリソース＃１、ＰＤＳＣＨ繰り返しファクター＝０（又は、繰り返しファクターが設定されない）が通知される。また、ＣＣ＃１のスロットで送信されるＤＣＩにより、Ｋ０＝０、Ｋ１＝２、ＰＵＣＣＨリソース識別子＝ＰＵＣＣＨリソース＃２、ＰＤＳＣＨ繰り返しファクター＝０が通知される。なお、ここでは、ＤＣＩと当該ＤＣＩによりスケジューリングされるＰＤＳＣＨが同じスロットにある場合を想定する。
【００７３】
また、ＣＣ＃２において、ＵＥはスロット＃０とスロット＃１でそれぞれＰＤＳＣＨをスケジューリングするＤＣＩを受信する場合を示している。なお、ここでは、スロット＃０とスロット＃１でそれぞれ２個ずつのＤＣＩを検出する場合を示している。例えば、ＣＣ＃２のスロット＃０の最初に送信されるＤＣＩにより、Ｋ０＝０、Ｋ１＝３、ＰＵＣＣＨリソース識別子＝ＰＵＣＣＨリソース＃１、ＰＤＳＣＨ繰り返しファクター＝０が通知される。ＣＣ＃２のスロット＃０の２番目に送信されるＤＣＩにより、Ｋ０＝０、Ｋ１＝３、ＰＵＣＣＨリソース識別子＝ＰＵＣＣＨリソース＃２、ＰＤＳＣＨ繰り返しファクター＝０が通知される。
【００７４】
ＣＣ＃２のスロット＃１の最初に送信されるＤＣＩにより、Ｋ０＝０、Ｋ１＝２、ＰＵＣＣＨリソース識別子＝ＰＵＣＣＨリソース＃１、ＰＤＳＣＨ繰り返しファクター＝０が通知される。ＣＣ＃２のスロット＃１の２番目に送信されるＤＣＩにより、Ｋ０＝０、Ｋ１＝２、ＰＵＣＣＨリソース識別子＝ＰＵＣＣＨリソース＃２、ＰＤＳＣＨ繰り返しファクター＝０が通知される。なお、ここでは、ＤＣＩと当該ＤＣＩによりスケジューリングされるＰＤＳＣＨが同じスロットにある場合を想定する。
【００７５】
この場合、ＣＣ＃１のスロット＃０、＃１で受信したＤＣＩと、ＣＣ＃２のスロット＃０、＃１で受信したＤＣＩがＰＵＣＣＨ送信スロットとして同じスロット（図５のスロット＃３）を指定する。そのため、ＵＥは、ＣＣ＃１のスロット＃０、＃１で受信したＤＣＩと、ＣＣ＃２のスロット＃０、＃１で受信したＤＣＩが同じグループに属すると判断して、各ＤＣＩでスケジューリングされるＰＤＳＣＨのＨＡＲＱ−ＡＣＫ送信を制御する。
【００７６】
例えば、ＵＥは、同じグループに属する各ＤＣＩに含まれるＤＡＩを利用してＨＡＲＱ−ＡＣＫコードブックを生成する。図５では、同じグループ（ＤＣＩグループ＃１＋ＤＣＩグループ＃２）に属する各ＤＣＩに、グループ単位で累積されたカウント値を示すカウンタＤＡＩと、トータルＤＡＩとが含まれる。トータルＤＡＩは、所定期間（例えば、ＰＤＣＣＨモニタリングオケージョン）毎にアップデートされてもよい。ＨＡＲＱ−ＡＣＫコードブックにおけるＨＡＲＱ−ＡＣＫビットオーダーは、カウンタＤＡＩによって決定されてもよい。ＨＡＲＱ−ＡＣＫビットのトータル値は、例えば、上述したような予め設定された所定ルールに基づいて、トータルＤＡＩ又はＵＬ  ＤＡＩによって決定されてもよい。
【００７７】
このように、態様１−１では、複数のＤＣＩが同一スロットの異なるＰＵＣＣＨリソースを指定する場合であっても、当該複数のＤＣＩが同一グループに属すると判断してＨＡＲＱ−ＡＣＫの送信を制御する。この場合、ＨＡＲＱ−ＡＣＫの送信に利用するＰＵＣＣＨリソースは、所定条件に基づいて決定してもよい。例えば、ＵＥは、同じグループに属するＤＣＩのうち、最後に受信したＤＣＩが指定するＰＵＣＣＨリソースを利用して、ＨＡＲＱ−ＡＣＫの送信を行ってもよい。図５では、最後に受信したＤＣＩがＰＵＣＣＨリソース＃１を指定するため、ＰＵＣＣＨリソース＃２を用いずに、ＰＵＣＣＨリソース＃１を用いてＨＡＲＱ−ＡＣＫを送信する。
【００７８】
なお、ＰＵＣＣＨリソースの選択方法はこれに限られず、最初に受信したＤＣＩが指定するＰＵＣＣＨリソースを利用してもよいし、ＤＣＩにより指定されるＰＵＣＣＨリソースの数が最も多いＰＵＣＣＨリソースを利用してもよい。
【００７９】
このように、ＵＥは、１つのスロットにおいて１つのＰＵＣＣＨリソースを用いてＨＡＲＱ−ＡＣＫフィードバックを送信してもよい。また、１つのスロットにおいて１つのＰＵＣＣＨリソースを用いてＨＡＲＱ−ＡＣＫフィードバックを送信することから、ＨＡＲＱ−ＡＣＫコードブックのためのＤＡＩ（カウンタＤＡＩ、トータルＤＡＩ）は、ＤＣＩが指定するＰＵＣＣＨ送信のスロットが同じであれば各ＤＣＩが指定するＰＵＣＣＨリソースを区別することなく累積した値となっている。
【００８０】
なお、図５では、ＣＣ＃１（例えばプライマリセル）のスロット＃３のＰＵＣＣＨリソースを用いてＨＡＲＱ−ＡＣＫフィードバックを送信する場合を例示して説明したが、任意のＣＣ（セル）のスロット毎に、グループ形成したＨＡＲＱ−ＡＣＫフィードバックを送信することができる。
【００８１】
このように、１スロットで複数のＰＵＣＣＨリソース（ＨＡＲＱ−ＡＣＫ）を送信できないＵＥは、スロット単位でＨＡＲＱ−ＡＣＫコードブックの生成を行うことにより、１スロットの異なるＰＵＣＣＨリソースが指定される場合であっても全てのＨＡＲＱ−ＡＣＫをスロット単位で生成されるＨＡＲＱ−ＡＣＫコードブックで送信することができる。
【００８２】
＜態様１−２＞
１スロットで複数のＰＵＣＣＨリソース（ＨＡＲＱ−ＡＣＫ）を送信できるＵＥは、ＰＵＣＣＨリソース単位でＨＡＲＱ−ＡＣＫコードブックの生成（例えば、ＤＡＩの適用）を行う。また、ＵＥは、ＤＣＩで通知されるＰＵＣＣＨリソースに基づいて決定されるグループ毎にＨＡＲＱ−ＡＣＫの送信を制御する。この場合、ＵＥは、所定スロットの異なるＰＵＣＣＨリソースを利用した送達確認信号の送信を想定してもよい。
【００８３】
例えば、ＵＥは、同一ＰＵＣＣＨリソース（例えば、同一時間及び周波数リソース）を示す１以上のＤＣＩに含まれるＤＡＩ（カウンタＤＡＩ及びトータルＤＡＩの少なくとも一方）に基づいて、ＨＡＲＱ−ＡＣＫコードブックを生成する。ＵＥは、同一スロットの異なるＰＵＣＣＨリソースを示す複数のＤＣＩを受信した場合、当該複数のＤＣＩが異なるグループに属すると想定してＨＡＲＱ−ＡＣＫの送信処理を行ってもよい。
【００８４】
図６は、態様１−２に係るＨＡＲＱ−ＡＣＫ送信の一例を示す図である。図６の例では、２つのＣＣ＃１とＣＣ＃２が設定される場合を示している。例えば、ＣＣ＃１はプライマリセルであってもよく、ＣＣ＃２はセカンダリセルであってもよい。なお、設定可能なＣＣ数はこれに限られない。
【００８５】
図６では、図５と同様にスロット＃０、＃１で送信されるＤＣＩ（又は、ＰＤＳＣＨ）に対するＨＡＲＱ−ＡＣＫがスロット＃３で送信される場合を示している。また、図６では、ＵＥが受信するＤＣＩ、当該ＤＣＩによりスケジューリングされるＰＤＳＣＨ（例えば、Ｋ０）、当該ＤＣＩにより指定されるＨＡＲＱ−ＡＣＫの送信タイミング（例えば、Ｋ１）、当該ＤＣＩにより指定されるＰＵＣＣＨリソースが図５と同じである場合を想定する。以下に、ＵＥ動作の一例について説明する。以下の説明において、図５と内容が同じ部分については説明を省略する。
【００８６】
ＵＥは、ＤＣＩがＰＵＣＣＨ送信用に指定するＰＵＣＣＨリソースに基づいて、受信したＤＣＩ（例えば、ＤＬ  ＤＣＩ）をグループ化（グループに分類）してもよい。例えば、ＰＵＣＣＨ送信のために同一のＰＵＣＣＨリソースを指定しているＤＣＩを同一グループに属すると判断し、グループ単位でＨＡＲＱ−ＡＣＫの送信を制御してもよい。ＵＥは、ＤＣＩがＰＵＣＣＨ送信用に指定するＰＵＣＣＨリソースについて、例えば、｛Ｋ０、Ｋ１、ＰＵＣＣＨ  ｒｅｓｏｕｒｃｅ  ｉｎｄｉｃａｔｏｒ、ＰＤＳＣＨ−ａｇｇｒｅｃａｔｉｏｎＦａｃｔｏｒ｝等のパラメータに基づいて判断してもよい。
【００８７】
図６において、各スロットのＤＣＩによって図５と同様にＫ０、Ｋ１、ＰＵＣＣＨリソース識別子、ＰＤＳＣＨ繰り返しファクターがＵＥに通知される場合を想定する。この場合、ＣＣ＃１のスロット＃０、＃１で受信したＤＣＩは異なるＰＵＣＣＨリソースを指定する。また、ＣＣ＃２のスロット＃０で受信した２つのＤＣＩは異なるＰＵＣＣＨリソースを指定し、ＣＣ＃２のスロット＃１で受信した２つのＤＣＩは異なるＰＵＣＣＨリソースを指定する。
【００８８】
一方で、ＵＥは、ＰＵＣＣＨリソース＃１を示すＤＣＩ（例えば、ＣＣ＃１のスロット＃０のＤＣＩ、ＣＣ＃２のスロット＃０の最初のＤＣＩ、ＣＣ＃２のスロット＃１の２番目のＤＣＩ）が同じグループ（ＤＣＩグループ＃１）に属すると判断する。また、ＵＥは、ＰＵＣＣＨリソース＃２を示すＤＣＩ（例えば、ＣＣ＃１のスロット＃１のＤＣＩ、ＣＣ＃２のスロット＃０の２番目のＤＣＩ、ＣＣ＃２のスロット＃１の最初のＤＣＩ）が同じグループ（ＤＣＩグループ＃２）に属すると判断する。
【００８９】
この場合、ＵＥは、同じグループに属するＤＣＩグループ単位でＨＡＲＱ−ＡＣＫ送信を制御する。ネットワーク（例えば、基地局）は、同じＤＣＩグループに属するＤＣＩ間でＤＡＩ（カウンタＤＡＩ及びトータルＤＡＩ）の累積等を制御してもよい。また、ＵＥは、同じＤＣＩグループに属するＤＣＩ間でＤＡＩ（カウンタＤＡＩ及びトータルＤＡＩ）の累積等が制御されていると想定してもよい。
【００９０】
例えば、ＵＥは、同じグループに属する各ＤＣＩに含まれるＤＡＩを利用してＨＡＲＱ−ＡＣＫコードブックを生成する。ＨＡＲＱ−ＡＣＫコードブックにおけるＨＡＲＱ−ＡＣＫビットオーダーは、カウンタＤＡＩによって決定されてもよい。ＨＡＲＱ−ＡＣＫビットのトータル値は、例えば、上述したような予め設定された所定ルールに基づいて、トータルＤＡＩ又はＵＬ  ＤＡＩによって決定されてもよい。
【００９１】
このように、態様１−２では、複数のＤＣＩが同一スロットの異なるＰＵＣＣＨリソースを指定する場合、ＰＵＣＣＨリソース毎にグループ化を行ってＨＡＲＱ−ＡＣＫの送信を制御する。この場合、ＵＥは、同じスロットにおいて異なるＰＵＣＣＨリソースをそれぞれ利用して異なるＨＡＲＱ−ＡＣＫの送信（又は、ＨＡＲＱ−ＡＣＫコードブックの生成）を行ってもよい。
【００９２】
このように、ＵＥは、１つのスロットにおいて複数のＰＵＣＣＨリソースを用いてＨＡＲＱ−ＡＣＫフィードバックを送信してもよい。また、１つのスロットにおいて複数のＰＵＣＣＨリソースを用いてＨＡＲＱ−ＡＣＫフィードバックを送信することから、ＨＡＲＱ−ＡＣＫコードブックのためのＤＡＩ（カウンタＤＡＩ、トータルＤＡＩ）は、グループ単位でそれぞれ累積した値となっている。
【００９３】
なお、図６では、ＣＣ＃１（例えばプライマリセル）のスロット＃３のＰＵＣＣＨリソースを用いてＨＡＲＱ−ＡＣＫフィードバックを送信する場合を例示して説明したが、任意のＣＣ（セル）のスロット毎に、グループ形成したＨＡＲＱ−ＡＣＫフィードバックを送信することができる。
【００９４】
このように、１スロットで複数のＰＵＣＣＨリソース（ＨＡＲＱ−ＡＣＫ）を送信できるＵＥは、ＰＵＣＣＨリソース単位でＨＡＲＱ−ＡＣＫコードブックの生成を行うことにより、ＰＵＣＣＨリソースを有効に活用してＨＡＲＱ−ＡＣＫ送信を行うことができる。これにより、通信のスループットを向上することが可能となる。また、ＵＥの能力に基づいて、ＨＡＲＱ−ＡＣＫの送信処理（例えば、ＨＡＲＱ−ＡＣＫのコードブック生成等）として異なる方法を適用することにより、ＵＥ能力に応じてＨＡＲＱ−ＡＣＫ送信を制御できる。これにより、通信品質の劣化を抑制すると共に、通信スループットを向上することができる。
【００９５】
（第２の態様）
第２の態様では、ＵＥ能力に関わらずＨＡＲＱ−ＡＣＫの送信処理（例えば、ＨＡＲＱ−ＡＣＫコードブック生成等）を制御する。ＵＥ及び基地局は、ＵＥ能力情報に関わらず共通の方法で生成したダイナミックＨＡＲＱ−ＡＣＫコードブックを利用してＨＡＲＱ−ＡＣＫの送信を行ってもよい。以下に、ＵＥ能力に関わらず、共通のルール（例えば、ＰＵＣＣＨリソース単位）を利用して生成したダイナミックＨＡＲＱ−ＡＣＫコードブックを利用したＨＡＲＱ−ＡＣＫ送信制御（態様２−１）と、ＰＵＣＣＨリソースの設定を制御したＨＡＲＱ−ＡＣＫ送信制御（態様２−２）について説明する。
【００９６】
＜態様２−１＞
ＵＥは、ＵＥ能力に関わらず（例えばＰＵＣＣＨリソース単位の制御に基づいて）、ダイナミックＨＡＲＱ−ＡＣＫコードブックを利用したＨＡＲＱ−ＡＣＫ送信を共通ルールに基づいて制御する。例えば、ＵＥは、上り制御チャネルリソースに基づいて決定されるグループ毎にＨＡＲＱ−ＡＣＫコードブックの生成（例えば、ＤＡＩの適用等）を行ってＨＡＲＱ−ＡＣＫの送信を制御する。
【００９７】
具体的には、１スロットで複数のＰＵＣＣＨリソース（ＨＡＲＱ−ＡＣＫ）を送信できるＵＥと、１スロットで複数のＰＵＣＣＨリソース（ＨＡＲＱ−ＡＣＫ）を送信できないＵＥに対して、統一された（共通の）ＨＡＲＱ−ＡＣＫコードブックの構成を定義してもよい。例えば、ＵＥは、ＵＥ能力に関わらず、同一ＰＵＣＣＨリソース（例えば、同一時間及び周波数リソース）を示す１以上のＤＣＩに含まれるＤＡＩ（カウンタＤＡＩ及びトータルＤＡＩの少なくとも一方）に基づいて、ＨＡＲＱ−ＡＣＫコードブックを生成する。
【００９８】
ＵＥは、同一スロットの異なるＰＵＣＣＨリソースを示す複数のＤＣＩを受信した場合、当該複数のＤＣＩが異なるグループに属すると想定してＨＡＲＱ−ＡＣＫの送信処理を行ってもよい。この場合、ＵＥは、同一スロットの異なるＰＵＣＣＨリソースを利用する複数グループが存在する場合に、ＵＥ能力に基づいて複数グループに対応するＨＡＲＱ−ＡＣＫを送信するか、いずれか１つのグループに対応するＨＡＲＱ−ＡＣＫを送信するかを制御してもよい。
【００９９】
図７は、態様２−１に係るＨＡＲＱ−ＡＣＫ送信の一例を示す図である。図７の例では、２つのＣＣ＃１とＣＣ＃２が設定される場合を示している。例えば、ＣＣ＃１はプライマリセルであってもよく、ＣＣ＃２はセカンダリセルであってもよい。なお、設定可能なＣＣ数はこれに限られない。
【０１００】
図７では、図５、図６と同様にスロット＃０、＃１で送信されるＤＣＩ（又は、ＰＤＳＣＨ）に対するＨＡＲＱ−ＡＣＫがスロット＃３で送信される場合を示している。また、図７では、ＵＥが受信するＤＣＩ、当該ＤＣＩによりスケジューリングされるＰＤＳＣＨ（例えば、Ｋ０）、当該ＤＣＩにより指定されるＨＡＲＱ−ＡＣＫの送信タイミング（例えば、Ｋ１）、当該ＤＣＩにより指定されるＰＵＣＣＨリソースが図５、図６と同じである場合を想定する。
【０１０１】
以下に、１スロットで複数のＰＵＣＣＨリソース（ＨＡＲＱ−ＡＣＫ）を送信できないＵＥの動作の一例について説明する。以下の説明において、図５、図６と内容が同じ部分については説明を省略する。なお、１スロットで複数のＰＵＣＣＨリソース（ＨＡＲＱ−ＡＣＫ）を送信できるＵＥ動作は、図６（態様１−２）と同様としてもよい。
【０１０２】
ＵＥは、ＤＣＩがＰＵＣＣＨ送信用に指定するＰＵＣＣＨリソースに基づいて、受信したＤＣＩ（例えば、ＤＬ  ＤＣＩ）をグループ化（グループに分類）する。例えば、ＰＵＣＣＨ送信のために同一のＰＵＣＣＨリソースを指定しているＤＣＩを同一グループに属すると判断し、グループ単位でＨＡＲＱ−ＡＣＫの送信を制御してもよい。ＵＥは、ＤＣＩがＰＵＣＣＨ送信用に指定するＰＵＣＣＨリソースについて、例えば、｛Ｋ０、Ｋ１、ＰＵＣＣＨ  ｒｅｓｏｕｒｃｅ  ｉｎｄｉｃａｔｏｒ、ＰＤＳＣＨ−ａｇｇｒｅｃａｔｉｏｎＦａｃｔｏｒ｝等のパラメータに基づいて判断してもよい。
【０１０３】
図７において、各スロットのＤＣＩによって図５、図６と同様にＫ０、Ｋ１、ＰＵＣＣＨリソース識別子、ＰＤＳＣＨ繰り返しファクターがＵＥに通知される場合を想定する。この場合、ＵＥは、ＰＵＣＣＨリソース＃１を示すＤＣＩ（例えば、ＣＣ＃１のスロット＃０のＤＣＩ、ＣＣ＃２のスロット＃０の最初のＤＣＩ、ＣＣ＃２のスロット＃１の２番目のＤＣＩ）が同じグループ（ＤＣＩグループ＃１）に属すると判断する。また、ＵＥは、ＰＵＣＣＨリソース＃２を示すＤＣＩ（例えば、ＣＣ＃１のスロット＃１のＤＣＩ、ＣＣ＃２のスロット＃０の２番目のＤＣＩ、ＣＣ＃２のスロット＃１の最初のＤＣＩ）が同じグループ（ＤＣＩグループ＃２）に属すると判断する。
【０１０４】
この場合、ＵＥは、同じグループに属するＤＣＩグループ単位でＨＡＲＱ−ＡＣＫ送信を制御する。ネットワーク（例えば、基地局）は、同じＤＣＩグループに属するＤＣＩ間でＤＡＩ（カウンタＤＡＩ及びトータルＤＡＩ）の累積等を制御してもよい。また、ＵＥは、同じＤＣＩグループに属するＤＣＩ間でＤＡＩ（カウンタＤＡＩ及びトータルＤＡＩ）の累積等が制御されていると想定してもよい。
【０１０５】
例えば、ＵＥは、同じグループに属する各ＤＣＩに含まれるＤＡＩを利用してＨＡＲＱ−ＡＣＫコードブックを生成する。ＨＡＲＱ−ＡＣＫコードブックにおけるＨＡＲＱ−ＡＣＫビットオーダーは、カウンタＤＡＩによって決定されてもよい。ＨＡＲＱ−ＡＣＫビットのトータル値は、例えば、上述したような予め設定された所定ルールに基づいて、トータルＤＡＩ又はＵＬ  ＤＡＩによって決定されてもよい。
【０１０６】
図７では、第１のＤＣＩグループと、第２のＤＣＩグループについてそれぞれＨＡＲＱ−ＡＣＫコードブックが生成される。この場合、１スロットにおいて複数のＰＵＣＣＨリソースを利用したＨＡＲＱ−ＡＣＫ送信をサポートしないＵＥは、いずれか１つのＤＣＩグループに対応するＨＡＲＱ−ＡＣＫを選択して送信を行うように制御すればよい。
【０１０７】
ＨＡＲＱ−ＡＣＫを送信するＤＣＩグループ（又は、送信に利用するＰＵＣＣＨリソース）は、所定条件に基づいて決定してもよい。例えば、ＵＥは、ＨＡＲＱ−ＡＣＫ送信タイミングとして同じスロットを指定するＤＣＩのうち、最後に受信したＤＣＩが属するＤＣＩグループ（又は、ＰＵＣＣＨリソース）を選択して、ＨＡＲＱ−ＡＣＫの送信を行ってもよい。図７では、最後に受信したＤＣＩがＤＣＩグループ１（又は、ＰＵＣＣＨリソース＃１）を指定するため、ＤＣＩグループ２に対応するＨＡＲＱ−ＡＣＫビットを用いずに、ＤＣＩグループ１に対応するＨＡＲＱ−ＡＣＫビットを送信する。
【０１０８】
なお、ＤＣＩグループ（又は、ＰＵＣＣＨリソース）の選択方法はこれに限られず、最初に受信したＤＣＩが指定するＤＣＩグループを選択してもよいし、ＰＤＳＣＨをスケジューリングするＤＣＩ数が多いＤＣＩグループを選択してもよい。
【０１０９】
１スロットで複数のＰＵＣＣＨリソース（ＨＡＲＱ−ＡＣＫ）を送信できないＵＥは、１スロットで複数のＰＵＣＣＨリソースが指定される場合、いずれか一つのＰＵＣＣＨリソースに対応するＨＡＲＱ−ＡＣＫコードブックのみを生成する構成としてもよい。これにより、送信を行わない他のＰＵＣＣＨリソースに対応するＨＡＲＱ−ＡＣＫコードブックの生成が不要となるため、ＵＥの処理負荷を低減することができる。
【０１１０】
ネットワーク（例えば、基地局）は、同一スロットの異なるＰＵＣＣＨリソースをＤＣＩで指定する場合、所定のＵＥからはいずれか１つのグループ（例えばＤＣＩグループ＃１とＤＣＩグループ＃２の一方）に対応するＨＡＲＱ−ＡＣＫ（例えばＰＵＣＣＨリソース＃１とＰＵＣＣＨリソース＃２の一方を用いたＨＡＲＱ−ＡＣＫ）が送信されると判断して受信処理及び再送処理を制御する。
【０１１１】
基地局は、ＤＣＩで指定するＰＵＣＣＨリソースに基づいて決定されるグループ毎にＤＣＩに含まれるＤＡＩが利用されてＨＡＲＱ−ＡＣＫが送信される場合、同一スロットの異なるＰＵＣＣＨリソースを利用する複数グループが存在する場合に、所定のユーザ端末からはいずれか１つのグループに対応する送達確認信号が送信されると判断して、受信処理及び再送処理を制御してもよい。
【０１１２】
このように、ＵＥ能力に関わらず共通ルールに基づいてＨＡＲＱ−ＡＣＫの送信処理（例えば、ＤＡＩの適用等）を行うことにより、処理動作を簡略化することができる。
【０１１３】
＜態様２−２＞
上述した第２−１の態様（図７）では、１スロットで複数のＰＵＣＣＨリソース（ＨＡＲＱ−ＡＣＫ）を送信できないＵＥは、いずれか１つのＰＵＣＣＨリソースを用いてＨＡＲＱ−ＡＣＫコードブックを送信することしかできない場合がある。例えば、最後に受信したＤＣＩで指定される）ＰＵＣＣＨリソースを選択する場合、ＰＵＣＣＨリソース＃１を用いたＨＡＲＱ−ＡＣＫコードブックを送信することしかできない場合がある。この場合、ＵＥは、ＤＣＩグループ＃２によってスケジューリングされるＰＤＳＣＨのＨＡＲＱ−ＡＣＫビットを送信することができない。
【０１１４】
そのため、ＵＥ能力に関わらずＨＡＲＱ−ＡＣＫ送信処理を共通ルールに基づいて制御する場合、所定ＵＥに対して１スロット内で１つのＰＵＣＣＨリソースのみが指定（又は、設定）されるように制御してもよい。所定ＵＥは、１スロットで複数のＰＵＣＣＨリソース（ＨＡＲＱ−ＡＣＫ）を送信できないＵＥとしてもよい。
【０１１５】
例えば、基地局は、ＵＥの能力情報に基づいて、１スロットにおいて指定するＰＵＣＣＨリソース数（例えば、１スロットにおいて異なるＰＵＣＣＨリソースを設定するか否か）を制御してもよい。具体的には、基地局は、所定ＵＥに対してはスロット毎に１以下のＰＵＣＣＨリソースを設定し、所定ＵＥ以外のＵＥに対してはスロット毎に１以上のＰＵＣＣＨリソースを設定するように制御してもよい。
【０１１６】
所定ＵＥは、ＤＣＩで同一スロットにおける異なるＰＵＣＣＨリソースが指定されないと想定してもよい。
【０１１７】
図８は、第２−２の態様に係るＨＡＲＱ−ＡＣＫ送信の一例を示す図である。図８では、図７と同様にスロット＃０、＃１で送信されるＤＣＩ（又は、ＰＤＳＣＨ）に対するＨＡＲＱ−ＡＣＫがスロット＃３で送信される場合を示している。また、図８では、ＵＥが受信するＤＣＩ、当該ＤＣＩによりスケジューリングされるＰＤＳＣＨ（例えば、Ｋ０）、当該ＤＣＩにより指定されるＨＡＲＱ−ＡＣＫの送信タイミング（例えば、Ｋ１）が図５−図７と同じである。一方で、ＤＣＩにより指定されるＰＵＣＣＨリソースが図５−図７と異なり、全てＰＵＣＣＨリソース＃１を指定する場合を示している。
【０１１８】
つまり、図８に示すように、所定ＵＥに対して１スロットにおいて指定されるＰＵＣＣＨリソースが１以下（例えば、１）となるように設定する場合、同一スロットでは１つのＤＣＩグループのみ形成される。そのため、ＰＵＣＣＨリソースに基づいて形成されるＤＣＩグループ単位でＨＡＲＱ−ＡＣＫコードブックを生成する場合であっても、１スロットで複数のＰＵＣＣＨリソースの送信能力を有さないＵＥが送信できなくなるＨＡＲＱ−ＡＣＫコードブックをなくすことができる。
【０１１９】
基地局は、ＤＣＩで指定するＰＵＣＣＨリソースに基づいて決定されるグループ毎にＤＣＩに含まれるＤＡＩが利用されてＨＡＲＱ−ＡＣＫが送信される場合、ＤＣＩで同一スロットにおける異なるＰＵＣＣＨリソースを指定しないように制御する。言い換えると、基地局は、同一のスロットにおいて同一のＰＵＣＣＨリソースを指定するためのＰＵＣＣＨリソース識別子をＤＣＩに含めて所定ＵＥに送信するように制御する。
【０１２０】
このように、所定ＵＥに対して１スロットにおける複数のＰＵＣＣＨリソースを指定しないように制御することにより、共通のＨＡＲＱ−ＡＣＫ送信処理を適用しつつ、ＵＥ能力に基づいてＨＡＲＱ−ＡＣＫ送信を柔軟に制御することができる。これにより、通信の遅延を抑制すると共に、リソースの利用効率を向上することが可能となる。
【０１２１】
（無線通信システム）
以下、本実施の形態に係る無線通信システムの構成について説明する。この無線通信システムでは、上記複数の態様の少なくとも一つの組み合わせを用いて通信が行われる。
【０１２２】
図９は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１２５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１２６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２７】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１２８】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【０１２９】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１３０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１３１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１３６】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１３７】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３８】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１４０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１４１】
＜無線基地局＞
図１０は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１４２】
下りリンクによって無線基地局１０からユーザ端末２０に送信されるユーザデータは、上位局装置３０から伝送路インターフェース１０６を介してベースバンド信号処理部１０４に入力される。
【０１４３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４８】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１４９】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１５０】
また、送受信部１０３は、下り共有チャネルのスケジューリングに利用する下り制御情報を送信し、下り共有チャネルに対する送達確認信号を受信してもよい。
【０１５１】
図１１は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１５２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１５３】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１５４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１５５】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１５６】
また、制御部３０１は、下り制御情報で指定する上り制御チャネルリソースに基づいて決定されるグループ毎に下り制御情報に含まれる下り割当てインデックスが利用されて送達確認信号が送信される場合、下り制御情報で同一スロットにおける異なる上り制御チャネルリソースを指定しないように制御してもよい。
【０１５７】
また、制御部３０１は、下り制御情報で指定する上り制御チャネルリソースに基づいて決定されるグループ毎に下り制御情報に含まれる下り割当てインデックスが利用されて送達確認信号が送信される場合、同一スロットの異なる上り制御チャネルリソースを利用する複数グループが存在する場合に所定のユーザ端末からはいずれか１つのグループに対応する送達確認信号が送信されると判断してもよい。
【０１５８】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１５９】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１６０】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１６１】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１６２】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１６３】
測定部３０５は、受信した信号に関する測定を実施する。測定部３０５は、本開示に係る技術分野での共通認識に基づいて説明される測定器、測定回路又は測定装置から構成することができる。
【０１６４】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６５】
＜ユーザ端末＞
図１２は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６６】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６７】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１６９】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１７０】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１７１】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、無線基地局１０に対して上り（ＵＬ）信号（ＵＬデータ信号、ＵＬ制御信号、ＵＬ参照信号の少なくとも一つを含む）を送信する。
【０１７２】
また、送受信部２０３は、下り制御情報でスケジューリングされる下り共有チャネルを受信し、下り共有チャネルに対する送達確認信号を送信してもよい。
【０１７３】
図１３は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１７４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７５】
制御部４０１は、ユーザ端末２０全体の制御を実施する。制御部４０１は、本開示に係る技術分野での共通認識に基づいて説明されるコントローラ、制御回路又は制御装置から構成することができる。
【０１７６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１７７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７８】
また、制御部４０１は、下り制御情報で指定される上り制御チャネルの送信スロットに基づいて決定されるグループ毎、又は下り制御情報で指定される上り制御チャネルリソースに基づいて決定されるグループ毎に、下り制御情報に含まれる下り割当てインデックスを利用して送達確認信号の送信を制御してもよい。
【０１７９】
また、制御部４０１は、ＵＥ能力に基づいて、上り制御チャネルの送信スロットに基づいて決定されるグループ毎に送達確認信号の送信を制御する方法と、上り制御チャネルリソースに基づいて決定されるグループ毎に送達確認信号の送信を制御する方法の一方を選択してもよい。
【０１８０】
また、制御部４０１は、上り制御チャネルリソースに基づいて決定されるグループ毎に送達確認信号の送信を制御する場合、所定スロットの異なる上り制御チャネルリソースを利用した送達確認信号の送信を想定してもよい。
【０１８１】
また、制御部４０１は、ＵＥ能力に関わらず、上り制御チャネルリソースに基づいて決定されるグループ毎に送達確認信号の送信を制御してもよい。
【０１８２】
また、制御部４０１は、上り制御チャネルリソースに基づいて決定されるグループ毎に送達確認信号の送信を制御する場合、同一スロットの異なる上り制御チャネルリソースを利用する複数グループが存在する場合にいずれか１つのグループに対応する送達確認信号を送信するように制御してもよい。
【０１８３】
また、制御部４０１は、下り制御情報で同一スロットにおける異なる上り制御チャネルリソースが指定されないと想定してもよい。
【０１８４】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１８５】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１８６】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１８７】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１８８】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１８９】
測定部４０５は、受信した信号に関する測定を実施する。測定部４０５は、本開示に係る技術分野での共通認識に基づいて説明される測定器、測定回路又は測定装置から構成することができる。
【０１９０】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１９１】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１９２】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１９３】
例えば、本開示の一実施形態における基地局、ユーザ端末などは、本開示の無線通信方法の処理を行うコンピュータとして機能してもよい。図１４は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９４】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１９５】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１９６】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１９７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９８】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９９】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２００】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０１】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０２０２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０４】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０５】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０６】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２０７】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２０８】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２０９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２１０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２１１】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１２】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２１４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２１６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２１８】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２１９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２２１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２２２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２２３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２２４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２２５】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２２６】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２７】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２８】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２２９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２３０】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２３１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２３２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２３３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２３４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２３５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２３６】
本開示において使用する「システム」及び「ネットワーク」という用語は、互換的に使用され得る。
【０２３７】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２３８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２３９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２４０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４１】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２４２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２４３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２４４】
同様に、本開示におけるユーザ端末は、基地局で読み替えてもよい。この場合、上述のユーザ端末２０が有する機能を基地局１０が有する構成としてもよい。
【０２４５】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２４６】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２４７】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２４８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２５０】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２５１】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２５２】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５３】
また、「判断（決定）」は、「想定する（assuming）」、「期待する（expecting）」、「みなす（considering）」などで読み替えられてもよい。
【０２５４】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２５５】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２５６】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２５７】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２５８】
本開示において、例えば、英語でのa,  an及びtheのように、翻訳によって冠詞が追加された場合、本開示は、これらの冠詞の後に続く名詞が複数形であることを含んでもよい。
【０２５９】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020026291.tif 000003
【図２】
2020026291.tif 000004
【図３】
2020026291.tif 000005
【図４】
2020026291.tif 000006
【図５】
2020026291.tif 000007
【図６】
2020026291.tif 000008
【図７】
2020026291.tif 000009
【図８】
2020026291.tif 000010
【図９】
2020026291.tif 000011
【図１０】
2020026291.tif 000012
【図１１】
2020026291.tif 000013
【図１２】
2020026291.tif 000014
【図１３】
2020026291.tif 000015
【図１４】
2020026291.tif 000016
【国際調査報告】
2020026291.tif 000017
2020026291.tif 000018
2020026291.tif 000019
2020026291.tif 000020